(57)【特許請求の範囲】
【請求項１】
レーザを出力するレーザ光源部と、
前記レーザ光源部から出力されたレーザが通る光路部が形成され、前記光路部を通ったレーザが通る外部光ファイバーケーブルが挿抜されるインターフェイス部と、
前記外部光ファイバーケーブルが前記インターフェイス部から抜かれていることを検出するケーブル挿抜検出部と、
前記光路部が閉じられる閉位置と前記光路部が開く開位置との間で変位するシャッターと、
前記シャッターの位置が前記閉位置であることを検出するシャッター位置検出部と、
前記シャッターを変位させるシャッター駆動部と、
前記シャッター駆動部の駆動を制御するシャッター制御部と、
前記レーザ光源部の駆動を制御するレーザ制御部と
を備え、
前記シャッター制御部は、前記外部光ファイバーケーブルが前記インターフェイス部から抜かれていると前記ケーブル挿抜検出部が検出する場合に、前記シャッターの位置が前記閉位置となるように前記シャッター駆動部の駆動を制御し、
前記レーザ制御部は、前記シャッターの位置が前記閉位置であると前記シャッター位置検出部が検出する場合に、前記レーザ光源部からのレーザの出力が停止されるように、前記レーザ光源部の駆動を制御することを特徴とするレーザ照明装置。
【請求項２】
前記シャッター駆動部は、前記シャッターの位置が前記閉位置となるように前記シャッターを付勢する付勢部と、電力が供給されることによって、前記付勢部の付勢力に逆らって前記シャッターの位置が前記開位置となるように前記シャッターを変位させる動力を発生させるソレノイドとを有し、
前記シャッター制御部は、前記ソレノイドに電力を供給することによって前記シャッターの位置を前記開位置とし、前記ソレノイドへの電力の供給を停止することによって前記シャッターの位置を前記閉位置とすることを特徴とする請求項１に記載のレーザ照明装置。
【発明の詳細な説明】
【技術分野】
【０００１】
この発明は、レーザを出力するレーザ照明装置に関する。
【背景技術】
【０００２】
従来、レーザを出力するレーザ光源部と、レーザ光源部から出力されたレーザが通る内部光ファイバーケーブルと、内部光ファイバーケーブルを通ったレーザが通る光路部が形成されたインターフェイス部と、インターフェイス部に挿抜され、インターフェイス部に挿入されている場合に、光路部を通ったレーザが通る外部光ファイバーケーブルとを備えたレーザ照明装置が知られている（例えば、特許文献１参照）。
【先行技術文献】
【特許文献】
【０００３】
【特許文献１】特開２０１４−７６０９７号公報
【発明の概要】
【発明が解決しようとする課題】
【０００４】
しかしながら、外部光ファイバーケーブルがインターフェイス部から抜かれた場合に、内部光ファイバーケーブルを通ったレーザがインターフェイス部を介してレーザ照明装置の外側に出力されてしまう恐れがあるという問題点があった。
【０００５】
この発明は、外部光ファイバーケーブルがインターフェイス部から抜かれた場合にレーザがインターフェイス部を介してレーザ照明装置の外側に出力されることを抑制することができるレーザ照明装置を提供するものである。
【課題を解決するための手段】
【０００６】
この発明に係るレーザ照明装置は、レーザを出力するレーザ光源部と、レーザ光源部から出力されたレーザが通る光路部が形成され、光路部を通ったレーザが通る外部光ファイバーケーブルが挿抜されるインターフェイス部と、外部光ファイバーケーブルがインターフェイス部から抜かれていることを検出するケーブル挿抜検出部と、光路部が閉じられる閉位置と光路部が開く開位置との間で変位するシャッターと、シャッターの位置が閉位置であることを検出するシャッター位置検出部と、シャッターを変位させるシャッター駆動部と、シャッター駆動部の駆動を制御するシャッター制御部と、レーザ光源部の駆動を制御するレーザ制御部とを備え、シャッター制御部は、外部光ファイバーケーブルがインターフェイス部から抜かれているとケーブル挿抜検出部が検出する場合に、シャッターの位置が閉位置となるようにシャッター駆動部の駆動を制御し、レーザ制御部は、シャッターの位置が閉位置であるとシャッター位置検出部が検出する場合に、レーザ光源部からのレーザの出力が停止されるように、レーザ光源部の駆動を制御する。
【発明の効果】
【０００７】
この発明に係るレーザ照明装置によれば、シャッター制御部は、外部光ファイバーケーブルがインターフェイス部から抜かれているとケーブル挿抜検出部が検出する場合に、シャッターの位置が閉位置となるようにシャッター駆動部の駆動を制御し、レーザ制御部は、シャッターの位置が閉位置であるとシャッター位置検出部が検出する場合に、レーザ光源部からのレーザの出力が停止されるように、レーザ光源部の駆動を制御するので、外部光ファイバーケーブルがインターフェイス部から抜かれた場合に、シャッターの位置が閉位置となり、レーザ光源部からのレーザの出力が停止される。これにより、外部光ファイバーケーブルがインターフェイス部から抜かれた場合にレーザがインターフェイス部を介してレーザ照明装置の外側に出力されることを抑制することができる。
【図面の簡単な説明】
【０００８】
【図１】この発明の実施の形態１に係るレーザ照明装置を示す平面図である。
【図２】図１のレーザ照明装置の要部を示す正面図である。
【図３】図１のレーザ照明装置を示すブロック図である。
【図４】図１のレーザ照明装置の動作を示すフローチャートである。
【発明を実施するための形態】
【０００９】
実施の形態１．
図１はこの発明の実施の形態１に係るレーザ照明装置を示す平面図である。図において、レーザ照明装置は、それぞれが異なる種類のレーザを出力する複数のレーザ光源部１１を有するレーザ光源装置１と、それぞれのレーザ光源部１１から出力されたそれぞれのレーザが通る複数の内部光ファイバーケーブル２１を有する内部ケーブル装置２と、それぞれの内部光ファイバーケーブル２１をまとめるケーブルバンド部３と、それぞれの内部光ファイバーケーブル２１を通ったそれぞれのレーザを拡散させるとともにミキシングする光拡散部４と、光拡散部４で拡散されるとともにミキシングされたレーザが通る光路部５１が形成されたインターフェイス部５と、インターフェイス部５に挿抜され、インターフェイス部５に挿入されている場合に、光路部５１を通ったレーザが通る外部光ファイバーケーブル６と、レーザ光源部１１、内部光ファイバーケーブル２１、光拡散部４およびインターフェイス部５が取り付けられる筐体７とを備えている。
【００１０】
異なる種類のレーザを出力する複数のレーザ光源部１１には、それぞれが異なる色の可視光のレーザを出力する複数のレーザ光源部１１と、赤外光（ＩＲ）のレーザを出力するレーザ光源部１１とが含まれている。異なる色の可視光のレーザとしては、赤（Ｒ）、緑（Ｇ）および青（Ｂ）のレーザが挙げられる。なお、この例では、４個のレーザ光源部１１を有するレーザ光源装置１の構成について説明するが、４個以外の複数のレーザ光源部１１を有するレーザ光源装置１であってもよく、レーザ光源装置１は、１つのレーザ光源部１１から構成されてもよい。また、内部ケーブル装置２は、レーザ光源装置１が１つレーザ光源部１１から構成されている場合に、１つの内部光ファイバーケーブル２１から構成される。
【００１１】
光拡散部４は、拡散板４１と、ロッドレンズ４２とを有している。内部光ファイバーケーブル２１を通ったそれぞれのレーザは、ロッドレンズ４２、拡散板４１の順に、光拡散部４を通る。
【００１２】
インターフェイス部５は、筐体７の側壁に取り付けられている。レーザ光源部１１、内部光ファイバーケーブル２１、光拡散部４は、筐体７の内部であって、筐体７の底面部に配置されている。
【００１３】
図２は図１のレーザ照明装置の要部を示す正面図、図３は図１のレーザ照明装置を示すブロック図である。レーザ照明装置は、外部光ファイバーケーブル６がインターフェイス部５から抜かれていることを検出するケーブル挿抜検出部８と、光路部５１を開閉するシャッター装置９とをさらに備えている。
【００１４】
ケーブル挿抜検出部８は、インターフェイス部５に設けられている。ケーブル挿抜検出部８は、検出スイッチ８１と、検出スイッチ８１を押す押圧位置と検出スイッチ８１から離れる解除位置との間で変位する可動部８２とを有している。可動部８２は、外部光ファイバーケーブル６がインターフェイス部５に挿入されることによって、解除位置から押圧位置に変位する。また、可動部８２は、図示しない付勢装置によって、検出スイッチ８１から離れる方向に付勢されている。したがって、可動部８２は、外部光ファイバーケーブルがインターフェイス部５から抜かれることによって、押圧位置から解除位置に変位する。
【００１５】
レーザ光源装置１は、それぞれのレーザ光源部１１の駆動を制御するレーザ制御部１２をさらに有している。
【００１６】
シャッター装置９は、光路部５１が閉じられる閉位置と光路部５１が開く開位置との間で変位するシャッター９１と、シャッター９１の位置が閉位置であることを検出するシャッター位置検出部９２と、シャッター９１を変位させるシャッター駆動部９３と、シャッター駆動部９３の駆動を制御するシャッター制御部９４とを有している。
【００１７】
シャッター駆動部９３は、シャッター９１の位置が閉位置となるようにシャッター９１を付勢する付勢部９３１と、電力が供給されることによって、付勢部９３１の付勢力に逆らってシャッター９１の位置が開位置となるようにシャッター９１を変位させる動力を発生させるソレノイド９３２とを有している。
【００１８】
シャッター制御部９４には、ケーブル挿抜検出部８の検出結果が入力される。シャッター制御部９４は、外部光ファイバーケーブル６がインターフェイス部５から抜かれているとケーブル挿抜検出部８が検出する場合に、シャッター９１の位置が閉位置となるようにシャッター駆動部９３の駆動を制御する。
【００１９】
シャッター制御部９４は、ソレノイド９３２に電力を供給することによってシャッター９１の位置を開位置とし、ソレノイド９３２への電力の供給を停止することによってシャッター９１の位置を閉位置とする。したがって、レーザ光源装置１の電源がＯＦＦの場合には、シャッター９１の位置が閉位置となる。
【００２０】
レーザ制御部１２には、シャッター位置検出部９２の検出結果が入力される。レーザ制御部１２は、シャッター９１の位置が閉位置であるとシャッター位置検出部９２が検出する場合に、それぞれのレーザ光源部１１からのレーザの出力が停止されるように、それぞれのレーザ光源部１１の駆動を制御する。
【００２１】
次に、レーザ照明装置の動作について説明する。図４は図１のレーザ照明装置の動作を示すフローチャートである。まず、シャッター制御部９４は、ケーブル挿抜検出部８の検出結果に基づいて、外部光ファイバーケーブル６がインターフェイス部５から抜かれているとケーブル挿抜検出部８が検出したか否かを判定する（ステップＳ１０１）。ステップＳ１０１で外部光ファイバーケーブル６がインターフェイス部５から抜かれているとケーブル挿抜検出部８が検出した判定された場合には、シャッター制御部９４は、ソレノイド９３２への電力の供給を停止することによってシャッター９１の位置を閉位置とする（ステップＳ１０２）。
【００２２】
その後、レーザ制御部１２は、シャッター位置検出部９２の検出結果に基づいて、シャッター９１の位置が閉位置であるとシャッター位置検出部９２が検出したか否かを判定する（ステップＳ１０３）。ステップＳ１０３でシャッター９１の位置が閉位置であるとシャッター位置検出部９２が検出したと判定された場合には、レーザ制御部１２は、それぞれのレーザ光源部１１からのレーザの出力が停止されるように、それぞれのレーザ光源部１１の駆動を制御し（ステップＳ１０４）、その後、レーザ照明装置の動作が終了する。
【００２３】
ステップＳ１０１で外部光ファイバーケーブル６がインターフェイス部５から抜かれているとケーブル挿抜検出部８が検出していない判定された場合には、ステップＳ１０３に進む。
【００２４】
ステップＳ１０３でシャッター９１の位置が閉位置であるとシャッター位置検出部９２が検出していないと判定された場合には、そのまま終了する。
【００２５】
以上説明したように、この発明の実施の形態１に係るレーザ照明装置によれば、シャッター制御部９４は、外部光ファイバーケーブル６がインターフェイス部５から抜かれているとケーブル挿抜検出部８が検出する場合に、シャッター９１の位置が閉位置となるようにシャッター駆動部９３の駆動を制御し、レーザ制御部１２は、シャッター９１の位置が閉位置であるとシャッター位置検出部９２が検出する場合に、レーザ光源部１１からのレーザの出力が停止されるように、レーザ光源部１１の駆動を制御するので、外部光ファイバーケーブル６がインターフェイス部５から抜かれた場合に、シャッター９１の位置が閉位置となり、レーザ光源部１１からのレーザの出力が停止される。これにより、外部光ファイバーケーブル６がインターフェイス部５から抜かれた場合にレーザがインターフェイス部５を介してレーザ照明装置の外側に出力されることを抑制することができる。
【００２６】
また、シャッター駆動部９３は、シャッター９１の位置が閉位置となるようにシャッター９１を付勢する付勢部９３１と、電力が供給されることによって、付勢部９３１の付勢力に逆らってシャッター９１の位置が開位置となるようにシャッター９１を変位させる動力を発生させるソレノイド９３２とを有し、シャッター制御部９４は、ソレノイド９３２に電力を供給することによってシャッター９１の位置を開位置とし、ソレノイド９３２への電力の供給を停止することによってシャッター９１の位置を閉位置とするので、レーザ照明装置の電源をＯＦＦ（通電なし）にした場合に、シャッター９１の位置を閉位置にすることができる。
【００２７】
なお、上記実施の形態１では、ソレノイド９３２を有するシャッター駆動部９３の構成について説明したが、ソレノイド９３２に限らず、例えば、モータを有するシャッター駆動部９３であってもよい。
【符号の説明】
【００２８】
１  レーザ光源装置、２  内部ケーブル装置、３  ケーブルバンド部、４  光拡散部、５  インターフェイス部、６  外部光ファイバーケーブル、７  筐体、８  ケーブル挿抜検出部、９  シャッター装置、１１  レーザ光源部、１２  レーザ制御部、２１  内部光ファイバーケーブル、４１  拡散板、４２  ロッドレンズ、５１  光路部、８１  検出スイッチ、８２  可動部、９１  シャッター、９２  シャッター位置検出部、９３  シャッター駆動部、９４  シャッター制御部、９３１  付勢部、９３２  ソレノイド。
【図１】
0006411175.tif 000002
【図２】
0006411175.tif 000003
【図３】
0006411175.tif 000004
【図４】
0006411175.tif 000005